(57)【要約】      （修正有）【課題】工具が不要で、汎用性が高く、人間と人間との間を仕切るパーティションやアクリル板などを支持するソーシャルベースを提供する。【解決手段】ソーシャルベース１００は、第１支持脚１０、第２支持脚２０、第３支持脚３０、及び、第４支持脚４０で構成されており、平面視すると、第１支持脚１０、第２支持脚２０、第３支持脚３０、及び、第４支持脚４０によって全体として十字形状になっている。第１支持脚１０と第３支持脚３０が対向位置に配置されており、第２支持脚２０と第４支持脚４０が対位置に配置されている。第１支持脚１０は、第１壁部１１と第２壁部１２を有し、第１壁部１１と第２壁部１２との間には仕切りが挿通できる空間部１５が形成されている。第１壁部１１及び第２壁部１２は、同形状であり、紙面下方に位置する底部から上方に向かって立設している。【選択図】図２
0003229480.tif 000002
【実用新案登録請求の範囲】
【請求項１】
仕切りの自立を支持するソーシャルベースであって、
前記ソーシャルベースは、
複数の支持脚を有し、
複数の前記支持脚は、
２つの壁部と、
２つの前記壁部の間に形成されている空間部と、を備えており、
前記空間部に前記仕切りが挿入されることで、前記仕切りの自立を支持するように構成されている
ソーシャルベース。
【考案の詳細な説明】
【技術分野】
【０００１】
本考案は、人間と人間との間を仕切るアクリル板などを支持するソーシャルベースに関するものである。
【背景技術】
【０００２】
現在、新型コロナウイルス感染症（ＣＯＶＩＤ−１９）の感染が世界的に拡大している。新型コロナウイルス感染症の感染予防には、ソーシャルディスタンスを確保することが推奨されている。また、さらなる感染予防として、例えばパーティションやアクリル板などのような仕切りを利用することも多い。仕切りを人間と人間との間に設置することで、唾液などの飛沫をシャットダウンすることができ、新型コロナウイルス感染症の感染予防に効果的である。
仕切りは、吊り下げられたり、自立させられたりして使用される。仕切りを自立させる場合、仕切りを安定させるために支持部材が取り付けられることが多い。この仕切りを自立させる支持部材を、「ソーシャルベース」と称するものとする。
【０００３】
特許文献１に記載のようなソーシャルベースの場合、パーティションやアクリル板などの仕切りに予め形成されている貫通穴にボルトを通して他方の面側でナットを用いて締結し、ソーシャルベースと仕切りを固定する構造となっている。
【先行技術文献】
【特許文献】
【０００４】
【特許文献１】特開２０１８−０４８４４６号公報
【考案の概要】
【考案が解決しようとする課題】
【０００５】
特許文献１に記載のソーシャルベースは、工具の使用を極力回避するようにしたものであるものの、仕切り側とソーシャルベース側が対の構成となっていなければならず、汎用性に欠ける。また、工具の使用を極力回避しているとは言うものの、より強固に固定しようとする場合には、やはり工具の力を借りなければならない。
【０００６】
本考案は、上述のような課題を解決するためになされたものであり、工具が不要で、汎用性が高く、人間と人間との間を仕切るパーティションやアクリル板などを支持するソーシャルベースを提供することを目的としている。
【課題を解決するための手段】
【０００７】
本考案に係るソーシャルベースは、
仕切りの自立を支持するソーシャルベースであって、
前記ソーシャルベースは、
複数の支持脚を有し、
複数の前記支持脚は、
２つの壁部と、
２つの前記壁部の間に形成されている空間部と、を備えており、
前記空間部に前記仕切りが挿入されることで、前記仕切りの自立を支持するように構成されているものである。
【考案の効果】
【０００８】
本考案に係るソーシャルベースは、仕切りを空間部に挿入するだけで、仕切りの自立を支持することができる。そのため、本考案に係るソーシャルベースによれば、仕切りの設置に工具が不要であり、汎用性が高い。
【図面の簡単な説明】
【０００９】
【図１】本考案の実施の形態に係るソーシャルベースの全体的な構成を概略的に示す斜視図である。
【図２】本考案の実施の形態に係るソーシャルベースの全体的な構成を概略的に示す平面図である。
【図３】本考案の実施の形態に係るソーシャルベースの使用状態を概略的に示す説明図である。
【図４】本考案の実施の形態に係るソーシャルベースの使用例（その１）を示す模式図である。
【図５】本考案の実施の形態に係るソーシャルベースの使用例（その２）を示す模式図である。
【図６】本考案の実施の形態に係るソーシャルベースの変形例を示す平面図である。
【考案を実施するための形態】
【００１０】
以下、図面を参照しつつ本考案の実施の形態について説明する。
図１は、本考案の実施の形態に係るソーシャルベース１００の全体的な構成を概略的に示す斜視図である。図２は、ソーシャルベース１００の全体的な構成を概略的に示す平面図である。
【００１１】
ソーシャルベース１００は、工具が不要で、汎用性が高く、人間と人間との間を仕切るパーティションやアクリル板などの仕切りの自立を支持するものである。
ソーシャルベース１００は、第１支持脚１０、第２支持脚２０、第３支持脚３０、及び、第４支持脚４０で構成されており、平面視すると、第１支持脚１０、第２支持脚２０、第３支持脚３０、及び、第４支持脚４０によって全体として十字形状になっている。第１支持脚１０と第３支持脚３０が対向位置に配置されており、第２支持脚２０と第４支持脚４０が対位置に配置されている。
【００１２】
第１支持脚１０は、第１壁部１１と第２壁部１２を有し、第１壁部１１と第２壁部１２との間には仕切り２００が挿通できる空間部１５が形成されている。第１壁部１１及び第２壁部１２は、同形状であり、図１の紙面下方に位置する底部から上方に向かって立設している。第１壁部１１と第２壁部１２の厚みは、空間部１５に挿入された仕切り２００（図３参照）を支持するとともに、仕切り２００を支持した状態でソーシャルベース１００の自立をサポートできる程度の厚みでよい。空間部１５の幅（第１壁部１１から第２壁部１２までの距離）は、仕切り２００が挿通可能な寸法があればよい。
なお、第２支持脚２０、第３支持脚３０、及び、第４支持脚４０も、第１支持脚１０と同様に構成されているため、説明を省略するものとする。
【００１３】
第１支持脚１０の第１壁部１１の一端面（図２の下側端面）が、第４支持脚４０の第２壁部４２の端部（図２の右側端部）の外側側面に当接している。第１支持脚１０の第２壁部１２の一端面が、第２支持脚２０の第１壁部２１の端部の外側壁面に当接している。
第３支持脚３０の第１壁部３１の一端面（図２の上側端面）が、第２支持脚２０の第２壁部２２の端部（図２の左側端部）の外側側面に当接している。第３支持脚３０の第２壁部３２の一端面が、第４支持脚４０の第１壁部４１の端部の外側壁面に当接している。
【００１４】
また、第１支持脚１０の空間部１５及び第３支持脚３０の空間部３５は、直線的に連通している。同様に、第２支持脚２０の空間部２５及び第４支持脚４０の空間部４５も、直線的に連通している。そして、図２に示すように、ソーシャルベース１００の中央部には、第１支持脚１０、第２支持脚２０、第３支持脚３０、及び、第４支持脚４０に囲まれた空間５０が形成される。
【００１５】
つまり、仕切り２００を、第１支持脚１０の空間部１５及び第３支持脚３０の空間部３５に挿入することもできるし、第２支持脚２０の空間部２５及び第４支持脚４０の空間部４５に挿入することもできる。
あるいは、４つの仕切り２００を、空間５０を中心に挿入することもできる。
【００１６】
図３〜図５に基づいて、ソーシャルベース１００の使用例について説明する。図３は、ソーシャルベース１００の使用状態を概略的に示す説明図である。図４は、ソーシャルベース１００の使用例（その１）を示す模式図である。図５は、ソーシャルベース１００の使用例（その２）を示す模式図である。
【００１７】
仕切り２００とソーシャルベース１００を用意する。それを用意したら、仕切り２００をソーシャルベース１００に取り付けていく。具体的には、仕切り２００をソーシャルベース１００のいずれかの空間部（空間部１５、空間部２５、空間部３５、空間部４５）に挿入する。図３では、仕切り２００が第２支持脚２０の空間部２５に挿入されている状態を示している。図３に示すように、仕切り２００の端部をソーシャルベース１００に留めてもよいし、仕切り２００の端部ではない部分をソーシャルベース１００で支持するようにしてもよい。
【００１８】
仕切り２００の枚数、仕切りたいエリアなどに応じて、ソーシャルベース１００の個数を決定する。例えば、仕切り２００を１枚使用する場合、ソーシャルベース１００は、仕切り２００の両端を支持するように２つ用意すればよい。
また、２つの机３００を仕切る場合、図４に示すように、４つのソーシャルベース１００を用意する。仕切り２００は、２枚又は３枚用意する。ソーシャルベース１００をそれぞれの机の３つの角の近傍に配置する。ここに、仕切り２００を設置する。図４に示すように大きさの異なる２枚の仕切り２００を用意した場合は、小さい方を２つの机３００の間に設置し、大きい方を２つの机３００の前方に設置すればよい。同じ大きさの仕切り２００を３枚用意した場合、２つの机３００のそれぞれの前方に１枚ずつ仕切り２００が設置されることになる。
【００１９】
次に、４つの机３００を仕切る場合、図５に示すように、５つのソーシャルベース１００を用意する。仕切り２００は、３枚又は４枚用意する。ソーシャルベース１００をそれぞれの机の３つの角の近傍に配置する。ここに、仕切り２００を設置する。図５に示すように同じ大きさの仕切り２００２枚と、それよりも大きい１枚の仕切り２００を用意した場合は、小さい方をそれぞれ２つの机３００の間に設置し、大きい方を４つの机３００が向かい合う間に設置すればよい。このような机３００の配置の場合、仕切り２００がクロスすることになるため、同じ大きさの仕切り２００が２枚では設置することができないことになる。
【００２０】
図６は、ソーシャルベース１００の変形例を示す平面図である。図６に示すソーシャルベース１００は、図１〜図５に示したソーシャルベース１００とは、支持脚の個数が異なっている。つまり、図６に示しソーシャルベース１００は、第４支持脚４０が存在していない。図６に示すソーシャルベース１００は、平面視した状態においてＴ字形状となっている。このような構成としても、仕切り２００を支持することができる。
【００２１】
以上のように、ソーシャルベース１００は、仕切り２００を空間部（空間部１５、空間部２５、空間部３５、空間部４５）に挿入するだけで、仕切り２００を支持することができるので、仕切り２００の設置に工具が不要である。そのため、ソーシャルベース１００によれば、作業者の手間を大幅に軽減することができる。
また、ソーシャルベース１００によれば、仕切り２００とペアになっている必要はなく、どのようなタイプの仕切り２００であっても、設置することが可能になっている。そのため、ソーシャルベース１００によれば、非常に汎用性が高く、使い勝手のよいものとなっている。
【００２２】
なお、上記実施の形態では、ソーシャルベース１００の素材を限定していないが、樹脂などを利用すれば安価で軽量なものとなり、更に汎用性が向上する。また、ソーシャルベース１００の色についても特に限定するものではないが、透明素材で構成することもでき、仕切り２００の設置状態を目視で容易に確認することができる。
【符号の説明】
【００２３】
１０  ：第１支持脚
１１  ：第１壁部
１２  ：第２壁部
１５  ：空間部
２０  ：第２支持脚
２１  ：第１壁部
２２  ：第２壁部
２５  ：空間部
３０  ：第３支持脚
３１  ：第１壁部
３２  ：第２壁部
３５  ：空間部
４０  ：第４支持脚
４１  ：第１壁部
４２  ：第２壁部
４５  ：空間部
５０  ：空間
１００  ：ソーシャルベース
２００  ：仕切り
３００  ：机
【図１】
0003229480.tif 000003
【図２】
0003229480.tif 000004
【図３】
0003229480.tif 000005
【図４】
0003229480.tif 000006
【図５】
0003229480.tif 000007
【図６】
0003229480.tif 000008